(57)【要約】【課題】本発明は移動端末に用いられる携帯可能な挟持装置を提供する。【解決手段】挟持アセンブリ１００、支持アセンブリ４００、および、挟持アセンブリ１００と支持アセンブリ４００を連結する支持管アセンブリ３００、を備える。支持アセンブリ４００は、支持管アセンブリ３００の底部に設置されており、挟持アセンブリ１００および支持管アセンブリ３００を固定するのに用いられる。挟持アセンブリ１００は、本体および本体に設置されている可動装置を有する。支持管アセンブリ３００と挟持アセンブリ１００は支持台アセンブリ２００により連結されており、支持台アセンブリ２００が、支持台座２６０、支持台座２６０にヒンジ結合されている連結支持具２１０、２２０、および、挟持アセンブリ１００との結合かつ連結杆１１４、１１５の上下方向のスライドの調節に用いられる調節装置を有する。【選択図】図１
2015230487.tif 000002
【特許請求の範囲】
【請求項１】
挟持アセンブリ、支持アセンブリ、および、前記挟持アセンブリと前記支持アセンブリを連結する支持管アセンブリを備え、
前記支持アセンブリは、前記支持管アセンブリの底部に設置されており、前記挟持アセンブリおよび前記支持管アセンブリを固定するのに用いられ、
前記挟持アセンブリは、本体および前記本体に設置されている可動装置を有し、前記本体の下側の端部に下側固定端部が設置されており、前記可動装置が複数の連結杆および前記連結杆の復位に用いられる弾性部材を有し、前記連結杆の上側端部に前記下側固定端部と対応する上側固定端部が設置されており、
前記支持管アセンブリと前記挟持アセンブリは支持台アセンブリにより連結されており、前記支持台アセンブリが、支持台座、前記支持台座にヒンジ結合されている連結支持具、および、前記挟持アセンブリとの結合かつ前記連結杆の上下方向のスライドの調節に用いられる調節装置を有することを特徴とする移動端末に用いられる携帯可能な挟持装置。
【請求項２】
前記連結杆は、上側連結杆および下側連結杆を含み、前記上側連結杆の上側端部および下側端部に係止部が設置されており、前記下側連結杆の下側端部に係止部が設置されており、前記上側連結杆が前記下側連結杆内にスリーブ接続されており、
前記弾性部材は、上側弾性部材および下側弾性部材を含み、
前記下側弾性部材、前記本体内に設置されており、前記下側連結杆の下側端部の係止部に連結されており、
前記上側弾性部材は、前記下側連結杆内に設置されており、前記上側連結杆の下側端部の係止部に連結されており、
前記上側連結杆の上側端部の係止部は前記上側固定端部内に設置されていることを特徴とする請求項１に記載の移動端末に用いられる携帯可能な挟持装置。
【請求項３】
前記上側固定端部は前記上側連結杆にヒンジ結合されており、前記下側固定端部は前記本体の下側端部にヒンジ結合されており、
前記上側固定端部は、前記上側連結杆と結合する上側牽引杆台、および、ボルトにより前記上側牽引杆台にヒンジ結合されている上側挟板を有し、
前記下側固定端部は、前記本体の下側端部にヒンジ結合されている下側挟板を有することを特徴とする請求項２に記載の移動端末に用いられる携帯可能な挟持装置。
【請求項４】
前記調節装置は、前記連結支持具に設置されている回転輪、前記回転輪に固定結合されている連結ボルト、および、前記回転輪および前記連結ボルトを固定するロック蓋を有し、前記ロック蓋に貫通孔が形成されており、前記貫通孔が前記連結ボルトの外側向きの突出に用いられ、
前記本体内に設置されている前記下側連結杆は二つであり、前記本体の前記下側連結杆に対応する位置に、前記連結ボルトの取り付けに用いられる取り付け孔が形成されており、前記取り付け孔が二つの前記下側連結杆の間に位置し、前記取り付け孔内に、前記連結ボルトと対応するネジ山が設置されていることを特徴とする請求項２に記載の移動端末に用いられる携帯可能な挟持装置。
【請求項５】
前記支持管アセンブリは、複数のスリーブ接続されている支持管を有し、前記支持管の上側端部に固定溝が設置されており、前記固定溝内に位置決めリングが設置されており、前記位置決めリングにコイルバネが設けられており、前記支持管の下側の端部に当接シート溝が設けられており、前記当接シート溝内に当接シートが設けられていることを特徴とする請求項１に記載の移動端末に用いられる携帯可能な挟持装置。
【請求項６】
前記位置決めリングの外部にスリーブ管が囲まれていることを特徴とする請求項５に記載の移動端末に用いられる携帯可能な挟持装置。
【請求項７】
前記支持アセンブリは、支持スタンドの基座、前記支持スタンドの基座に設置されている複数の支持スタンド、および、前記支持スタンドの位置を制限する位置制限装置を有することを特徴とする請求項１に記載の移動端末に用いられる携帯可能な挟持装置。
【請求項８】
前記支持スタンドの基座には、前記支持スタンドを取り付けるのに用いられる取り付け用溝が設置されており、
前記支持スタンドは、前記取り付け用溝内にヒンジ結合かつ取り付けられており、
前記位置制限装置は、前記取り付け用溝に対応する内側凹溝が設置されている回転盤であり、前記回転盤が前記支持スタンドの基座に可動に設置されていることを特徴とする請求項７に記載の移動端末に用いられる携帯可能な挟持装置。
【請求項９】
前記ロック蓋は、前記本体と接触する表面にゴムシートが設置されていることを特徴とする請求項４に記載の移動端末に用いられる携帯可能な挟持装置。
【請求項１０】
前記上側固定端部の前記上側挟板および前記下側固定端部の前記下側挟板には、移動端末を挟持するのに用いられる軟弾性シートが設置されていることを特徴とする請求項３に記載の移動端末に用いられる携帯可能な挟持装置。
【発明の詳細な説明】
【技術分野】
【０００１】
本発明は、挟持工具に関し、詳しくは、移動端末に用いられる携帯可能な挟持装置に関する。
【背景技術】
【０００２】
移動端末は、様々な電子機器であり、例えば、携帯電話、タブレットパソコン、および携帯式ナビ装置等があげられる。このような電子機器を用いて、自撮り、撮影、映像撮り、オンライン閲読、映画鑑賞、および路線案内をすることができる。手で携帯電話又はタブレットパソコンを持って自撮りを行う時、自分との距離が近すぎ、背景を全部取ることができない、または全体の効果が完全でない。また、手で携帯電話又はタブレットパソコンを持って、オンライン閲読、または映画鑑賞を行う時、長時間たつと手が疲れる。
【０００３】
特許文献１には携帯可能な挟持装置が開示されている。しかし、その挟持部の挟持幅が小さく、現在の様々な移動端末に対応することができない。また、挟持部材の角度を調節することができず、現代人の使用ニーズに対応することができない。そして、支持装置の安定性を高める必要がある。
【先行技術文献】
【特許文献】
【０００４】
【特許文献１】中国特許出願第２０１４１０００９１５４．７号明細書
【発明の概要】
【発明が解決しようとする課題】
【０００５】
本発明の目的は、上述の挟持装置が携帯不便であり、挟持対象の種類が一つに制限されている技術問題を解決するために、折り畳み可能であり、かつ支持が安定である移動端末に用いられる携帯可能な挟持装置を提供することにある。
【課題を解決するための手段】
【０００６】
上述の課題を解決するために、本発明は、以下の技術手段により実現される。
【０００７】
本発明の移動端末に用いられる携帯可能な挟持装置は、挟持アセンブリ、支持アセンブリ、および、挟持アセンブリと支持アセンブリを連結する支持管アセンブリを備える。支持アセンブリは、支持管アセンブリの底部に設置されており、挟持アセンブリおよび支持管アセンブリを固定するのに用いられる。挟持アセンブリは、本体および本体に設置されている可動装置を有し、本体の下側の端部に下側固定端部が設置されており、活動装置が複数の連結杆および連結杆の復位に用いられる弾性部材を有し、連結杆の上側端部に下側固定端部と対応する上側固定端部が設置されている。
【０００８】
支持管アセンブリと挟持アセンブリは支持台アセンブリにより連結されており、支持台アセンブリが、支持台座、支持台座にヒンジ結合されている連結支持具、および、挟持アセンブリとの結合かつ連結杆の上下方向のスライドの調節に用いられる調節装置を有する。
【０００９】
また、連結杆は、上側連結杆および下側連結杆を含み、上側連結杆の上側端部および下側端部に係止部が設置されており、下側連結杆の下側端部に係止部が設置されており、上側連結杆が下側連結杆内にスリーブ接続されている。
【００１０】
弾性部材は、上側弾性部材および下側弾性部材を含む。下側弾性部材は、本体内に設置されており、下側連結杆の下側端部の係止部に連結されている。上側弾性部材、下側連結杆内に設置されており、上側連結杆の下側端部の係止部に連結されている。上側連結杆の上側端部の係止部は上側固定端部内に設置されている。
【００１１】
また、上側固定端部は上側連結杆にヒンジ結合されており、下側固定端部は本体の下側端部にヒンジ結合されている。上側固定端部は、上側連結杆と結合する上側牽引杆台、および、ボルトにより上側牽引杆台にヒンジ結合されている上側挟板を有する。下側固定端部は、本体の下側端部にヒンジ結合されている下側挟板を有する。上側固定端部と下側固定端部はヒンジ結合軸を回転することで折り畳まれ、携帯が便利である。
【００１２】
また、調節装置は、連結支持具に設置されている回転輪、回転輪に固定結合されている連結ボルト、および、回転輪および連結ボルトを固定するロック蓋を有し、ロック蓋に貫通孔が形成されており、貫通孔が連結ボルトの外側向きの突出に用いられる。
【００１３】
本体内に設置されている下側連結杆は二つであり、本体の下側連結杆に対応する位置に、連結ボルトの取り付けに用いられる取り付け孔が形成されており、取り付け孔が二つの下側連結杆の間に位置し、取り付け孔内に、連結ボルトと対応するネジ山が設置されている。
【００１４】
また、支持管アセンブリは、複数のスリーブ接続されている支持管を有し、支持管の上側端部に固定溝が設置されており、固定溝内に位置決めリングが設置されており、位置決めリングにコイルバネが設けられており、支持管の下側端部に当接シート溝が設けられており、当接シート溝内に当接シートが設けられている。各支持管は、互いにスリーブ接続することで、伸縮可能である。これにより、挟持アセンブリの高さを調節することができ、収縮後携帯が便利となる。
また、位置決めリングの外部にスリーブ管が囲まれている。
また、支持アセンブリは、支持スタンドの基座、支持スタンドの基座に設置されている複数の支持スタンド、および、支持スタンドの位置を制限する位置制限装置を有する。
【００１５】
また、支持スタンドの基座には、支持スタンドを取り付けるのに用いられる取り付け用溝が設置されている。支持スタンドは、取り付け用溝内にヒンジ結合かつ取り付けられている。位置制限装置は、取り付け用溝に対応する内側凹溝が設置されている回転盤であり、回転盤が支持スタンドの基座に可動に設置されている。回転盤の内側凹溝と支持スタンドの位置が一致するとき、支持スタンドが折畳まれ、回転盤の内側凹溝と支持スタンドの位置がずれるとき、回転盤が支持スタンドを緊密に押し付け、支持スタンドが開かれ、支持機能を発揮する。
また、ロック蓋は、本体と接触する表面にゴムシートが設置されている。
【００１６】
また、上側固定端部の上側挟板および下側固定端部の下側挟板には、移動端末を挟持するのに用いられる軟弾性シートが設置されている。下側挟板には連結ボルトと対応するネジ山が設けられている。これにより、移動端末を挟持する時、密着性高めることができる。また、軟弾性シートが緩衝機能を有するため、移動端末の損傷を防止する。
従来の技術と比べ、本発明は以下の効果を有する。
【００１７】
本発明では、調節装置により上側挟板を上下方向にスライドさせ、上側挟板と上側挟板の間の距離が調節される。これにより、外形および寸法が異なる移動端末に適用することができる。上側弾性部材および下側弾性部材は上側連結杆および下側連結杆を復位させる。上側弾性部材および下側弾性部材は引っ張られた状態を維持しているため、上側固定端部および下側固定端部が移動端末を緊密に挟持するようにし、挟持の安定性が高まる。また、挟持アセンブリと支持台アセンブリがヒンジ結合軸を回転するため、挟持された移動端末の角度を調節することができ、使用時に思いとおりになる。各部材が折畳み可能であるため、折畳まれああと、挟持装置の体積が小さくなり、構造がコンパクトとなり、携帯が便利である。
【図面の簡単な説明】
【００１８】
【図１】本発明の一実施形態による移動端末に用いられる携帯可能な挟持装置の構造を示す模式図である。
【図２】本発明の一実施形態による移動端末に用いられる携帯可能な挟持装置の折り畳み状態を示す模式図である。
【図３】本発明の一実施形態による移動端末に用いられる携帯可能な挟持装置の挟持アセンブリを示す断面図である。
【図４】本発明の一実施形態による移動端末に用いられる携帯可能な挟持装置の挟持アセンブリを示す分解図である。
【図５】本発明の一実施形態による移動端末に用いられる携帯可能な挟持装置の支持台アセンブリを示す断面図である。
【図６】本発明の一実施形態による移動端末に用いられる携帯可能な挟持装置の支持管アセンブリを示す分解図である。
【図７】本発明の一実施形態による移動端末に用いられる携帯可能な挟持装置の支持アセンブリを示す断面図である。
【発明を実施するための形態】
【００１９】
（一実施形態）
以下、図面に基づいて本発明の一実施形態について説明する。本発明の一実施形態は、本発明を解釈および説明するためであり、本発明を限定するためではないことは理解すべきである。
【００２０】
図１〜７に示すように、本発明の移動端末に用いられる携帯可能な挟持装置は、挟持アセンブリ１００、支持管アセンブリ３００、および、支持管アセンブリの底部に設置されている支持アセンブリ４００を備える。支持管アセンブリ３００は、支持台アセンブリ２００により挟持アセンブリ１００と連結されている。
【００２１】
図３〜４に示すように、挟持アセンブリは、本体部１２０および本体部１２０に設置されている可動装置１１０を有する。本体部１２０は、本体１２３、本体１２３の下側の端部にヒンジ結合されている下側固定端部および本体端部蓋１２４を有する。下側固定端部はボルトにより本体の下側の端部に連結されている下側挟板１２１および下側挟板１２１に設置されている軟弾性シート１２２を有する。軟弾性シート１２２は、移動端末と接触する下側挟板１２１の表面に設置されている。
【００２２】
可動装置１１０は、本体１２３内に設置されている下側連結杆１１５、下側連結杆１１５にスリーブ接続されている上側連結杆１１４、および、上側連結杆１１４の頂端に設置されている上側固定端部を有する。可動装置１１０は弾性部材を有する。弾性部材は、本体１２３に設置されており一端が本体１２３の底部に連結されており他端が下側連結杆１１５の下側の端部に連結されている下側弾性体１１７、および、下側連結杆１１５内に設置されており一端が下側連結杆１１５に連結されており他端が上側連結杆１１４の下側の端部に連結されている上側弾性体１１６を有する。上側弾性体１１６および下側弾性体１１７はバネである。上側連結杆１１４の上側の端部および下側の端部にはいずれも係止部が設置されている。下側連結杆１１５の下側端部には下側弾性体１１７と連結する係止部が設置されている。
【００２３】
上側固定端部は、上側連結杆１１４と結合する上側牽引杆台１１３、および、ボルトにより上側牽引杆台１１３にヒンジ結合されている上側挟板１１１を有する。上側連結杆１１４の上側の端部の係止部は上側牽引杆台１１３内に設置されている。上側挟板１１１は、移動端末と接触するのに用いられる表面に軟弾性シート１１２が設置されている。軟弾性シート１１２は、ゴム部材、シリコン部材、スポンジ、または、発泡プラスチック等の硬さが比較的に低い材料から構成された部材である。
【００２４】
上側連結杆１１４、下側連結杆１１５、弾性部材は、いずれも二つであり、互いに平行に設置されている。本体端部蓋に設置されている取り付け孔１２５は、二つの下側連結杆１１５の間に位置する。
【００２５】
図５に示すように、支持台アセンブリ２００は、支持管アセンブリ３００と連結されている支持台座２６０、ヒンジ軸２１１により支持台座２６０にヒンジ結合されている左側連結支持具２１０および右側連結支持具２２０、および、挟持アセンブリ１００との結合かつ可動装置の上下方向のスライドの調節に用いられる調節装置を有する。
【００２６】
調節装置は、左側連結支持具２１０および右側連結支持具２２０に設置されている回転輪２５０、回転輪２５０に固定結合されている連結ボルト２４０、および、回転輪２５０および連結ボルト２４０を固定するロック蓋２３０を有する。ロック蓋２３０に貫通孔が形成されており、貫通孔は連結ボルト２４０の外側向きの突出に用いられる。連結ボルト２４０と挟持アセンブリ１００の本体端部蓋１２４の取り付け孔１２５は対応しており、ナットにより固定する。ロック蓋２３０は、挟持アセンブリと接触する表面にゴムシート２７０が設置されている。下側挟板１２１には連結ボルト２４０に対応するネジ山が設けられている。
【００２７】
図６に示すように、支持管アセンブリ３００は、複数のスリーブ接続されている支持管３１０を有する。支持管３１０の上側端部に固定溝が設置されている。固定溝内に位置決めリング３２０が設置されている。位置決めリング３２０には凹溝が設けられている。凹溝内にはコイルバネ３３０が設けられていることで内側への弾性を高める。支持管３１０の下側の端部に当接シート溝が設けられている。当接シート溝内に当接シート３４０が設けられている。一つの支持管３１０が別の支持管３１０の中から引き出されたとき、当接シート３４０は位置決めリング３２０により係止され位置が決められ必要な支持力を提供する。位置決めリング３２０の外部にスリーブ管３５０が囲まれている。スリーブ管３５０は、支持管３１０を案内し、位置決めリング３２０の外部への移動を制限するのに用いられる。
【００２８】
図７に示すように、支持アセンブリ４００は、支持スタンドの基座４２０、支持スタンドの基座４２０にヒンジ結合されている複数の支持スタンド４３０、および、支持スタンドの基座４２０に可動に設置されている回転盤４１０を有する。支持スタンドの基座４２０には、支持スタンド４３０を取り付けるのに用いられる取り付け用溝が等間隔に設置されている。回転盤４１０には、支持スタンド４３０に対応する内側凹溝４１１が設置されている。支持スタンド４３０の長さは支持管３１０の長さに相当する。支持スタンド４３０の上側表面の形状は支持管３１０の外側表面の形状に対応する。支持スタンド４３０の両側には指を置くのに用いられる欠け口４３１が二つ設置されている。
【００２９】
回転盤４１０を回し、内側凹溝４１１の位置と支持スタンド４３０の位置とをずらす時、各支持スタンド４３０は、回転盤４１０に緊密に押し付けられ水平放射状となり安定な平面を形成し、支持管アセンブリ３００および挟持アセンブリ１００を安定に支持する。回転盤４１０を回し、内側凹溝４１１の位置と支持スタンド４３０の位置とを対応させる時、各支持スタンド４３０は、直立状態となり、支持管アセンブリ３００に貼付けられ、折畳まれた状態となり、空間が節約され形態が便利である。本発明は、折り畳み可能であり、折畳まれた後の体積が小さく、構造がコンパクトであり、異なる移動端末の寸法に適応可能であり、角度および高さを調整することが可能であり、使用が便利である。
本実施形態で述べた移動端末に用いられる携帯可能な挟持装置の他の構造は従来の技術を参照する。
【００３０】
上述したように、本発明の好ましい実施形態であり、本発明を形式上で制限しない。よって、本発明の技術手段の内容を離脱せず、本発明の技術の実質内容に基づいた修正、変更、または修飾はいずれも本発明の技術手段に属する。
【符号の説明】
【００３１】
１００  挟持アセンブリ
１１０  可動アセンブリ
１１１  上側挟板
１１２  軟弾性シート
１１３  上側牽引杆台
１１４  上側連結杆
１１５  下側連結杆
１１６  上側弾性体
１１７  下側弾性体
１２０  本体部
１２１  下側挟板
１２２  下側軟弾性シート
１２３  本体
１２４  本体端部蓋
１２５  取り付け孔
２００  支持台アセンブリ
２１０  左側連結支持具
２１１  ヒンジ軸
２２０  右側連結支持具
２３０  ロック蓋
２４０  連結ボルト
２５０  回転輪
２６０  支持台座
２７０  ゴムシート
３００  支持管アセンブリ
３１０  支持管
３２０  位置決めリング
３３０  コイルバネ
３４０  当接シート
３５０  管ケーシング
４００  支持アセンブリ
４１０  回転盤
４２０  支持スタンドの基座
４３０  支持スタンド
４３１  欠け口
【図１】
2015230487.tif 000003
【図２】
2015230487.tif 000004
【図３】
2015230487.tif 000005
【図４】
2015230487.tif 000006
【図５】
2015230487.tif 000007
【図６】
2015230487.tif 000008
【図７】
2015230487.tif 000009